(57)【特許請求の範囲】
【請求項１】
基地局間キャリアアグリゲーションによりユーザ装置と通信を行う第１の基地局及び第２の基地局を含む移動通信システムにおける前記ユーザ装置であって、
前記第１の基地局に対して上り送信電力情報の報告を行うか否かを指示する第１設定情報を前記第１の基地局から受信し、前記第２の基地局に対して上り送信電力情報の報告を行うか否かを指示する第２設定情報を前記第１の基地局から受信する設定情報受信部と、
上り送信電力情報の報告を行うための報告トリガを検知した場合に、前記第１の基地局又は前記第２の基地局に上り送信電力情報を報告する報告制御部と、を備え、
前記設定情報受信部により受信した前記第１設定情報と前記第２設定情報のうちのいずれかが上り送信電力情報の報告を行わないことを指示する場合でも、前記報告制御部は、上り送信電力情報の報告を行わないことを指示された特定の基地局に対する報告トリガを検知した場合に、他方の基地局に対して上り送信電力情報を報告する
ことを特徴とするユーザ装置。
【請求項２】
前記他方の基地局に対して報告される前記上り送信電力情報は、前記第１の基地局におけるセルの上り送信電力情報と前記第２の基地局におけるセルの上り送信電力情報を含む
ことを特徴とする請求項１に記載のユーザ装置。
【請求項３】
前記報告制御部は、上り送信電力情報の報告を行わないことを指示された前記特定の基地局に対する報告トリガを検知するための検知パラメータとして、他方の基地局用に設定されたパラメータを適用する
ことを特徴とする請求項１又は２に記載のユーザ装置。
【請求項４】
前記報告制御部は、上り送信電力情報の報告を行わないことを指示された前記特定の基地局に対する報告トリガを検知するための検知パラメータとして、当該特定の基地局用に設定されたパラメータを適用する
ことを特徴とする請求項１又は２に記載のユーザ装置。
【請求項５】
前記ユーザ装置は、前記特定の基地局に対して上り送信電力情報の報告を行うことを指示する設定情報を受信した場合に、前記検知パラメータを破棄する
ことを特徴とする請求項３又は４に記載のユーザ装置。
【請求項６】
前記上り送信電力情報は、パワーヘッドルームであることを特徴とする請求項１ないし５のうちいずれか１項に記載のユーザ装置。
【請求項７】
基地局間キャリアアグリゲーションによりユーザ装置と通信を行う第１の基地局及び第２の基地局を含む移動通信システムにおける前記ユーザ装置が実行する上り送信電力報告方法であって、
前記第１の基地局に対して上り送信電力情報の報告を行うか否かを指示する第１設定情報を前記第１の基地局から受信し、前記第２の基地局に対して上り送信電力情報の報告を行うか否かを指示する第２設定情報を前記第１の基地局から受信する設定情報受信ステップと、
上り送信電力情報の報告を行うための報告トリガを検知した場合に、前記第１の基地局又は前記第２の基地局に上り送信電力情報を報告する報告制御ステップと、を備え、
前記設定情報受信ステップにより受信した前記第１設定情報と前記第２設定情報のうちのいずれかが上り送信電力情報の報告を行わないことを指示する場合でも、前記報告制御ステップにおいて、前記ユーザ装置は、上り送信電力情報の報告を行わないことを指示された特定の基地局に対する報告トリガを検知した場合に、他方の基地局に対して上り送信電力情報を報告する
ことを特徴とする上り送信電力報告方法。
【発明の詳細な説明】
【技術分野】
【０００１】
本発明は、移動通信システムにおいて、ユーザ装置が基地局に対して上り送信電力に関する情報を送信する技術に関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０までのＣＡでは、同一基地局ｅＮＢ配下の複数のＣＣを用いている。
【０００６】
一方、Ｒｅｌ−１２ではこれを拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００７】
Ｄｕａｌ  ｃｏｎｎｅｃｔｉｖｉｔｙは、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。以下では、ＭｅＮＢ、ＳｅＮＢ等の基地局を総称してｅＮＢと呼ぶ場合がある。
【先行技術文献】
【非特許文献】
【０００９】
【非特許文献１】３ＧＰＰ  ＴＲ  ３６．８４２  Ｖ１２．０．０  （２０１３−１２）
【非特許文献２】３ＧＰＰ  ＴＳ  ３６．３２１  Ｖ１２．２．０  （２０１４−０６）
【発明の概要】
【発明が解決しようとする課題】
【００１０】
本発明の実施の形態は、ＤＣにおけるＰＨＲ（ｐｏｗｅｒ  ｈｅａｄｒｏｏｍ  ｒｅｐｏｒｔ）に関する課題を解決する技術に関するものであることから、まず、ＰＨＲの一般的な事項を説明し、その後にＤＣにおけるＰＨＲに関する課題を説明する。なお、本明細書においては、基本的に、ＰＨＲは、ＰＨ（ｐｏｗｅｒ  ｈｅａｄｒｏｏｍ）を基地局ｅＮＢに報告することの意味で使用する。また、報告される信号をＰＨＲ信号と呼ぶ。
【００１１】
＜ＰＨＲについて＞
ユーザ装置ＵＥが基地局ｅＮＢにデータを送信する際の送信電力は適切な大きさである必要があるため、ユーザ装置ＵＥは、ＵＬ送信電力を所定の関数を用いて算出し、算出されたＵＬ送信電力でＵＬ送信を行っている。以下に、上記所定の関数の例を示す。
【００１２】
【数１】
0005866420.tif 000002
式１において、ＰＣＭＡＸ，ｃ（ｉ）は、サービングセル（ｓｅｒｖｉｎｇ  ｃｅｌｌ）ｃのｉ番目のサブフレーム（ｓｕｂｆｒａｍｅ）における最大送信電力であり、ＭＰＵＳＣＨ，Ｃ（ｉ）はリソースブロック数であり、ΔＴＦ，ｃはＭＣＳ（Ｍｏｄｕｌａｔｉｏｎ  Ｃｏｄｉｎｇ  Ｓｃｈｅｍｅ）から誘導されるパワーオフセットであり、ＰＬｃはパスロスであり、ｆｃ（ｉ）はａｃｃｕｍｕｌａｔｅｄ  ＴＰＣ  ｃｏｍｍａｎｄである。その他は報知パラメータである。
【００１３】
ユーザ装置ＵＥは、割り当てを受けたリソース量と適用するＭＣＳ等を上記所定の関数に入力して送信電力を決定してＵＬ送信を行う。算出された送信電力が最大送信電力を超える場合は、最大送信電力を適用してＵＬ送信を行う。
【００１４】
基地局ｅＮＢは、ユーザ装置ＵＥの送信電力が適切な値になるように電力制御やスケジューリング（リソース割り当て、ＭＣＳ決定等）を行うために、上記の式１に基づいて、ユーザ装置ＵＥの送信電力を把握する。ただし、上記の式１における変数のうち、パスロスが未知であるため、ユーザ装置ＵＥは、所定のトリガ（例：パスロスが所定値よりも大きく変わったとき）で、ＰＨ（ｐｏｗｅｒ ｈｅａｄｒｏｏｍ、パワーヘッドルーム）を含むＰＨＲ（ｐｏｗｅｒ ｈｅａｄｒｏｏｍ ｒｅｐｏｒ）信号を基地局ｅＮＢに通知し、基地局ｅＮＢは、ＰＨＲ信号に基づいて、ユーザ装置ＵＥの送信電力を算出する。
【００１５】
パワーヘッドルーム（ＰＨ）とは、以下の式２で算出される値であり、ＣＣの最大送信電力と現在（ＰＨ報告時）使用している送信電力との差を意味する。
【００１６】
【数２】
0005866420.tif 000003
図３は、ＰＨの一例を示す図である。図３（ａ）は、最大送信電力のほうが算出される送信電力よりも大きい場合であり、ＰＨは正の値となる。図３（ｂ）は、算出される送信電力が最大送信電力よりも大きい場合である。この場合、実際の送信電力は最大送信電力となり、ＰＨは負の値となる。
【００１７】
ＬＴＥでは、全アクティブＣＣのＰＨをユーザ装置ＵＥが基地局ｅＮＢへ報告することが規定されている。例えば非特許文献２において、図４に示すような、ＰＨ送信のためのＭＡＣ信号（Ｅｘｔｅｎｄｅｄ  Ｐｏｗｅｒ  Ｈｅａｄｒｏｏｍ  ＭＡＣ  Ｃｏｎｔｒｏｌ  Ｅｌｅｍｅｎｔ）が規定されている。
【００１８】
また、ＰＨＲ信号の報告トリガとしては以下のものがある（非特許文献２）。すなわち、ユーザ装置ＵＥは、下記トリガが満たされた後のＰＵＳＣＨ送信でＰＨＲ信号を送信する。下記の記述で「」で囲んだものはＲＲＣシグナリングで基地局ｅＮＢからユーザ装置ＵＥに通知されるパラメータである。なお、「ｄｌ−ＰａｔｈｌｏｓｓＣｈａｎｇｅ」以上における「以上」は、「より大きい」と実質的に同じである。
−「ＰｅｒｉｏｄｉｃＰＨＲ−Ｔｉｍｅｒ」が満了；
−「ＰｒｏｈｉｂｉｔＰＨＲ−Ｔｉｍｅｒ」が満了し、かつ最後のＰＨＲ送信から、少なくとも１つ以上のＡｃｔｉｖａｔｅｄ  ｓｅｒｖｉｎｇ  ｃｅｌｌで「ｄｌ−ＰａｔｈｌｏｓｓＣｈａｎｇｅ」以上のパスロス変動を観測；
−ＰＨＲのＣｏｎｆｉｇｕｒａｔｉｏｎまたはＲｅｃｏｎｆｉｇｕｒａｔｉｏｎ；
−ＵｐｌｉｎｋがＣｏｎｆｉｇｕｒｅされたＳＣｅｌｌのＡｃｔｉｖａｔｉｏｎ；
−「ＰｒｏｈｉｂｉｔＰＨＲ−Ｔｉｍｅｒ」が満了し、かつ最後のＰＨＲ送信から、少なくとも１つ以上のＡｃｔｉｖａｔｅｄ  ｓｅｒｖｉｎｇ  ｃｅｌｌで「ｄｌ−ＰａｔｈｌｏｓｓＣｈａｎｇｅ」以上のＰｏｗｅｒ−ｂａｃｋｏｆｆ変更を実施
さて、ＤＣにおいては複数の基地局ｅＮＢがＴＰＣ制御、スケジューリングを行うことになる。このため、例えば、基地局ｅＮＢが互いに自身が確保できる送信電力に余裕があることを担保しながら割り当てを行わなければ、すぐにＵＬ送信電力が不足し、十分なスループットが得られない可能性がある。
【００１９】
しかし、現状のＤＣでは、ＤｙｎａｍｉｃなｅＮＢ間協調が難しいため、ＰＨはそれぞれのｅＮＢ（ＣＧ）に別々に報告する仕組みが導入される。すなわち、ＰＨＲ制御はＭｅＮＢ（ＭＣＧ）とＳｅＮＢ（ＳＣＧ）で独立に設定、管理される。例えば、ＰｒｏｈｉｂｉｔＰＨＲ−Ｔｉｍｅｒは対応するｅＮＢ（ＣＧ）にＰＨＲ信号を送信した時点で起動される。
【００２０】
ただし、ＤＣでは、片方のｅＮＢにおいて、他方のｅＮＢ（ＣＧ）に属するサービングセルのＵｐｌｉｎｋの所要電力を把握するために、ユーザ装置ＵＥは、あるｅＮＢ（ＣＧ）にＰＨＲ信号を送信するとき、Ａｃｔｉｖａｔｅされたすべての（他方のｅＮＢ（ＣＧ）に属するサービングセルを含む）サービングセルのＰＨを報告する。これにより、あるｅＮＢ（ＣＧ）では、他方のｅＮＢ（ＣＧ）の所要電力をチェックしながら上りリンクスケジューリングを行うことが可能である。
【００２１】
また、前述したＰＨＲトリガに関しては、以下の括弧内に示すとおり、両方のｅＮＢ（ＣＧ）へＰＨを報告するものと、対応するｅＮＢ（ＣＧ）のみにＰＨを報告するものとに大別される。
−ＰｅｒｉｏｄｉｃＰＨＲ−Ｔｉｍｅｒが満了（対応するｅＮＢ（ＣＧ）にのみ報告）；
−ＰｒｏｈｉｂｉｔＰＨＲ−Ｔｉｍｅｒが満了し、かつ最後のＰＨＲ送信から、少なくとも１つ以上のＡｃｔｉｖａｔｅｄ  ｓｅｒｖｉｎｇ  ｃｅｌｌでｄｌ−ＰａｔｈｌｏｓｓＣｈａｎｇｅ以上のパスロス変動を観測（両方のｅＮＢ（ＣＧ）に報告）；
−ＰＨＲのＣｏｎｆｉｇｕｒａｔｉｏｎまたはＲｅｃｏｎｆｉｇｕｒａｔｉｏｎ（対応するｅＮＢ（ＣＧ）にのみ報告）；
−ＵｐｌｉｎｋがＣｏｎｆｉｇｕｒｅされたＳＣｅｌｌのＡｃｔｉｖａｔｉｏｎ（両方のｅＮＢ（ＣＧ）に報告）；
−ＰｒｏｈｉｂｉｔＰＨＲ−Ｔｉｍｅｒが満了し、かつ最後のＰＨＲ送信から、少なくとも１つ以上のＡｃｔｉｖａｔｅｄ  ｓｅｒｖｉｎｇ  ｃｅｌｌでｄｌ−ＰａｔｈｌｏｓｓＣｈａｎｇｅ以上のＰｏｗｅｒ−ｂａｃｋｏｆｆ変更を実施（両方のｅＮＢ（ＣＧ）に報告）。
【００２２】
＜ＤＣにおけるＰＨＲに関する課題＞
ユーザ装置ＵＥがＰＨＲトリガ検知及びＰＨ報告を行う機能については、ＭｅＮＢからのＲＲＣシグナリングにより、ｅＮＢ毎にＯＮ（機能使用）／ＯＦＦ（機能使用しない）を設定できることが想定される。この場合、片方のｅＮＢに対するＰＨＲ機能をＯＦＦとすると、もう一方のｅＮＢは、ＯＦＦに設定しているＣＧのサービングセルにおけるＰａｔｈｌｏｓｓ／Ｐ−ＭＰＲ  ｃｈａｎｇｅ（＋  Ａｃｔｉｖａｔｉｏｎ）に基づくＰＨＲを受けることができないという課題がある。
【００２３】
すなわち、図５に示すように、ユーザ装置ＵＥにおいてＭｅＮＢとＳｅＮＢともにＰＨＲ機能がＯＮである場合であれば、例えば、ＳＣＧのあるサービングセルでＰＨＲトリガを検知すれば、各アクティブＣＣのＰＨを含むＰＨＲ信号がＳｅＮＢのみならずＭｅＮＢにも送信される。これにより、ＭｅＮＢは、ＳＣＧ側のパスロス変化等を考慮して自身のＵＬ電力制御を実行できる。
【００２４】
他方、図６に示すように、ユーザ装置ＵＥにおいてＭｅＮＢのＰＨＲ機能がＯＮであり、ＳｅＮＢのＰＨＲ機能がＯＦＦの場合、例えば、ＳＣＧのあるサービングセルで所定値以上のパスロスの変化があったとしても、ユーザ装置ＵＥはそれをＰＨＲトリガとして検知しないので、ＰＨＲ信号の送信はなされない。このため、ＭｅＮＢは、ＳＣＧ側のパスロス変化等を考慮して自身のＵＬ電力制御を実行できない。
【００２５】
ところで、ＤＣでは両ｅＮＢのスケジューリングポリシが共通とは限らない。例えば、ＭｅＮＢはマクロセルを含みカバレッジやモビリティに責任を有し、ＳｅＮＢはスモールセルを構成してベストエフォートデータのみを提供するケースが考えられる。この場合、例えば、ＭｅＮＢは、パスロスの変化に敏感に追随するために「ｄｌ−ＰａｔｈｌｏｓｓＣｈａｎｇｅ」の値として、ＳｅＮＢにおける設定値よりも小さな値を設定することが考えられる（例えばＭｅＮＢは１ｄＢ、ＳｅＮＢは６ｄＢなど）。
【００２６】
しかしながら、上記のように「ｄｌ−ＰａｔｈｌｏｓｓＣｈａｎｇｅ」がｅＮＢ間で異なることが想定される場合において、各ｅＮＢで適切な上り送信電力制御を実行可能とするために、ユーザ装置ＵＥにおいて、どのようなＰＨＲトリガ制御を行えばよいのかについての従来技術はなかった。
【００２７】
上記のように、従来技術では、ＤＣにおいて想定される種々の設定に対応して、ユーザ装置が適切にＰＨ（上り送信電力情報）を基地局に送信することを可能とする技術は提案されていない。
【００２８】
本発明は上記の点に鑑みてなされたものであり、基地局間キャリアアグリゲーションによりユーザ装置と通信を行う第１の基地局及び第２の基地局を含む移動通信システムにおいて、ユーザ装置が適切に上り送信電力情報を基地局に送信することを可能とする技術を提供することを目的とする。
【課題を解決するための手段】
【００２９】
本発明の実施の形態によれば、基地局間キャリアアグリゲーションによりユーザ装置と通信を行う第１の基地局及び第２の基地局を含む移動通信システムにおける前記ユーザ装置であって、
前記第１の基地局に対して上り送信電力情報の報告を行うか否かを指示する第１設定情報を前記第１の基地局から受信し、前記第２の基地局に対して上り送信電力情報の報告を行うか否かを指示する第２設定情報を前記第１の基地局から受信する設定情報受信部と、
上り送信電力情報の報告を行うための報告トリガを検知した場合に、前記第１の基地局又は前記第２の基地局に上り送信電力情報を報告する報告制御部と、を備え、
前記設定情報受信部により受信した前記第１設定情報と前記第２設定情報のうちのいずれかが上り送信電力情報の報告を行わないことを指示する場合でも、前記報告制御部は、上り送信電力情報の報告を行わないことを指示された特定の基地局に対する報告トリガを検知した場合に、他方の基地局に対して上り送信電力情報を報告することを特徴とするユーザ装置が提供される。
【００３０】
また、本発明の実施の形態によれば、基地局間キャリアアグリゲーションによりユーザ装置と通信を行う第１の基地局及び第２の基地局を含む移動通信システムにおける前記ユーザ装置が実行する上り送信電力報告方法であって、
前記第１の基地局に対して上り送信電力情報の報告を行うか否かを指示する第１設定情報を前記第１の基地局から受信し、前記第２の基地局に対して上り送信電力情報の報告を行うか否かを指示する第２設定情報を前記第１の基地局から受信する設定情報受信ステップと、
上り送信電力情報の報告を行うための報告トリガを検知した場合に、前記第１の基地局又は前記第２の基地局に上り送信電力情報を報告する報告制御ステップと、を備え、
前記設定情報受信ステップにより受信した前記第１設定情報と前記第２設定情報のうちのいずれかが上り送信電力情報の報告を行わないことを指示する場合でも、前記報告制御ステップにおいて、前記ユーザ装置は、上り送信電力情報の報告を行わないことを指示された特定の基地局に対する報告トリガを検知した場合に、他方の基地局に対して上り送信電力情報を報告することを特徴とする上り送信電力報告方法が提供される。
【発明の効果】
【００３１】
本発明の実施の形態によれば、基地局間キャリアアグリゲーションによりユーザ装置と通信を行う第１の基地局及び第２の基地局を含む移動通信システムにおいて、ユーザ装置が適切に上り送信電力情報を基地局に送信することを可能とする技術が提供される。
【図面の簡単な説明】
【００３２】
【図１】Ｒｅｌ−１０までのＣＡを示す図である。
【図２】Ｄｕａｌ  Ｃｏｎｎｅｃｔｉｖｉｔｙの例を示す図である。
【図３】パワーヘッドルームを説明するための図である。
【図４】パワーヘッドルームを報告する信号の例（Ｅｘｔｅｎｄｅｄ  Ｐｏｗｅｒ  Ｈｅａｄｒｏｏｍ  ＭＡＣ  Ｃｏｎｔｒｏｌ  Ｅｌｅｍｅｎｔ）を示す図である。
【図５】両方のｅＮＢがＰＨＲ機能ＯＮである場合の動作を示す図である。
【図６】片方のｅＮＢがＰＨＲ機能ＯＮである場合の動作を示す図である。
【図７】本発明の実施の形態に係る通信システムの構成例を示す図である。
【図８】第１の実施の形態における動作概要を示す図である。
【図９】第１の実施の形態における動作例を説明するためのシーケンス図である。
【図１０】第１の実施の形態におけるユーザ装置ＵＥの構成図である。
【図１１】ＭｅＮＢとＳｅＮＢに対するｄｌ−ＰａｔｈｌｏｓｓＣｈａｎｇｅが異なる場合の動作例を説明するための図である。
【図１２】第２の実施の形態における動作概要を説明するための図である。
【図１３】第２の実施の形態における動作例を説明するためのシーケンス図である。
【図１４】３ＧＰＰ仕様書の記載例を示す図である。
【図１５】第２の実施の形態における変形例１を説明するための図である。
【図１６】第２の実施の形態における変形例２を説明するためのシーケンス図である。
【図１７】第２の実施の形態におけるユーザ装置ＵＥの構成図である。
【図１８】第２の実施の形態における基地局ｅＮＢの構成図である。
【発明を実施するための形態】
【００３３】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００３４】
（システム全体構成）
図７に本発明の実施の形態（第１、第２の実施の形態に共通）に係る移動通信システムの構成例を示す。図７に示すように、本実施の形態に係る移動通信システムは、それぞれコアネットワーク１０に接続される基地局ＭｅＮＢと基地局ＳｅＮＢを備え、基地局ＭｅＮＢ及び基地局ＳｅＮＢとユーザ装置ＵＥとの間でＤｕａｌ  Ｃｏｎｎｅｃｔｉｖｉｔｙ（以下、ＤＣ）を可能としている。また、基地局ＭｅＮＢと基地局ＳｅＮＢとの間は、例えばＸ２インターフェースにより通信可能である。以下では、基地局ＭｅＮＢ、基地局ＳｅＮＢをそれぞれＭｅＮＢ、ＳｅＮＢと記述する。また、これらを総称する場合あるいはＭｅＮＢ、ＳｅＮＢのいずれかを示す場合にｅＮＢと記述する。また、ＭｅＮＢとＭＣＧを同義で使用し、ＳｅＮＢとＳＣＧを同義で使用する場合がある。以下、本発明の第１の実施の形態、及び第２の実施の形態について説明する。
【００３５】
（第１の実施の形態）
第１の実施の形態は、図６を参照して説明した課題に関連する実施形態である。第１の実施の形態では、片方のｅＮＢのＰＨＲ機能がＯＦＦとなっている場合においても、他方のｅＮＢに対して、ＰＨを報告できるようにする。
【００３６】
図８を参照して第１の実施の形態の動作概要を説明する。図８に示す例において、ユーザ装置ＵＥに対し、ＳｅＮＢ側のＰＨＲ機能はＯＦＦが設定され、ＭｅＮＢ側のＰＨＲ機能はＯＮが設定されている。
【００３７】
本実施の形態では、ＳｅＮＢ側のＰＨＲ機能はＯＦＦであるが、ユーザ装置ＵＥは、ＳｅＮＢ側のＰＨＲ機能がＯＮである場合と同様に、ＰＨＲトリガの検知を行う。ただし、ＳｅＮＢへのＰＨＲを行わない。
【００３８】
図８の例では、ユーザ装置ＵＥは、ＳＣＧにおけるサービングセル＃２のパスロスが所定値以上変化したことを検知したので、ＰＨＲを行うと決定し、ＳＣＧとＭＣＧの各アクティブＣＣのＰＨを含むＰＨＲ信号をＭｅＮＢに送信する。このような動作により、ＳｅＮＢ側のＰＨＲ機能がＯＦＦである場合でも、ＭｅＮＢはＳＣＧの品質を加味しながらＵＬ送信電力の制御を行うことが可能となる。
【００３９】
次に、図９を参照して第１の実施の形態における動作例を説明する。図９の前提として、ユーザ装置ＵＥにはＭｅＮＢからのＲＲＣシグナリングにより、ＭｅＮＢ及びＳｅＮＢと通信を行うＤＣが設定されているものとする。なお、下記のステップ１０１、１０２は、ＤＣを設定する際のシグナリングメッセージで行ってもよい。
【００４０】
ステップ１０１において、ＳｅＮＢからＭｅＮＢに対して、当該ユーザ装置ＵＥのＳｅＮＢ側ＰＨＲ機能をＯＦＦとする設定情報が送信される。ステップ１０２において、ＭｅＮＢは、ＳｅＮＢ側ＰＨＲ機能をＯＦＦとし、ＭｅＮＢ側ＰＨＲ機能をＯＮとする設定情報を有するメッセージ（例：ＲＲＣＣｏｎｎｅｃｔｉｏｎＲｅｃｏｎｆｉｇｕｒａｔｉｏｎ）をユーザ装置ＵＥに送信する。当該メッセージには、ｄｌ−ＰａｔｈｌｏｓｓＣｈａｎｇｅ等のＰＨＲトリガ検知のためのＰＨＲ関連パラメータが含まれていてもよい。また、ＰＨＲ機能をＯＦＦとする設定情報は、「ＯＦＦ」をｅｘｐｌｉｃｉｔに含むことでもよいし、「ＯＮ」を含まないことで「ＯＦＦ」をｉｍｐｌｉｃｉｔに含むものでもよい。
【００４１】
また、ステップ１０３に示すように、ＳｅＮＢ側ＰＨＲ機能がＯＦＦである場合に使用するためのＳＣＧ側のＰＨＲ関連パラメータを通知してもよい。また、ステップ１０３のＰＨＲ機能ＯＦＦ用パラメータを通知する場合、当該パラメータをステップ１０２において通知してもよい。
【００４２】
ステップ１０２においてＳｅＮＢ側ＰＨＲ機能：ＯＦＦ／ＭｅＮＢ側ＰＨＲ機能：ＯＮを受信したユーザ装置ＵＥは、ＰＨＲトリガを検知するために、ＭｅＮＢ側ＰＨＲ関連パラメータを設定する（保持する）とともに、ＳｅＮＢ側ＰＨＲ関連パラメータも設定する（保持する）。
【００４３】
ステップ１０３においてＳｅＮＢ側のＰＨＲ機能ＯＦＦ用パラメータが通知されている場合には、ユーザ装置ＵＥは、当該ＯＦＦ用パラメータをＳｅＮＢ側ＰＨＲ関連パラメータとして設定すればよい。ＳｅＮＢ側のＰＨＲ機能ＯＦＦ用パラメータが通知されない場合には、ユーザ装置ＵＥは、ＭｅＮＢのＰＨＲ関連パラメータ（Ｐａｔｈｌｏｓｓ／Ｐ−ＭＰＲの変化量の比較に用いる閾値や、Ｐｅｒｉｏｄｉｃ  Ｔｉｍｅｒ）をそのままＳＣＧ側のＰＨＲ制御に適用してもよい。
【００４４】
ステップ１０４でユーザ装置ＵＥはＰＨＲ関連パラメータに基づきＰＨＲトリガを検知すると、ＰＨＲ信号をＭｅＮＢに送信する（ステップ１０５）。
【００４５】
その後、ＳｅＮＢからＭｅＮＢに対して、当該ユーザ装置ＵＥのＳｅＮＢ側ＰＨＲ機能をＯＮとする設定情報が送信される（ステップ１０６）と、ＭｅＮＢは、ＳｅＮＢ側ＰＨＲ機能をＯＮとする設定情報を有するメッセージをユーザ装置ＵＥに送信する（ステップ１０７）。ＳｅＮＢ側ＰＨＲ機能をＯＮとする設定情報を受信したユーザ装置ＵＥは、ＳＣＧ側のＰＨＲ制御に使用していた設定情報（ＰＨＲ関連パラメータ）を破棄する（ステップ１０８）。「破棄する」とは、記憶手段から情報を削除することであってもよいし、該当パラメータをＳＣＧ側のＰＨＲ制御に使用しないことの設定を行うことでもよい。
【００４６】
上記の例では、ＭｅＮＢ側のＰＨＲ機能をＯＮとし、ＳｅＮＢ側のＰＨＲ機能をＯＦＦとしたが、ＭｅＮＢとＳｅＮＢとでＯＮ／ＯＦＦが逆であっても同様の動作が可能である。また、ＰＨＲ機能のＯＮ／ＯＦＦの設定は両方のｅＮＢで同時に実施される必要はなく、ｅＮＢ毎に独立のタイミングで実施されてもよい。
【００４７】
なお、第１の実施の形態におけるＰＨＲトリガ検知において、後述する第２の実施の形態（例１、例２、変形例１、変形例２のいずれか）の方法を用いてもよい。例えば、ＳｅＮＢ側ＰＨＲ機能がＯＦＦである場合で、ＭＣＧ用に設定されるｄｌ−ＰａｔｈｌｏｓｓＣｈａｎｇｅが１ｄＢであり、ＳＣＧ用に設定される（ＯＦＦ用の）ｄｌ−ＰａｔｈｌｏｓｓＣｈａｎｇｅが３ｄＢである場合において、ユーザ装置ＵＥは、ＳＣＧのあるＳＣｅｌｌのパスロス変化が１ｄＢ（ＭＣＧ用に設定されるｄｌ−ＰａｔｈｌｏｓｓＣｈａｎｇｅ）より大きいときに、ＰＨＲトリガを検知し、ＰＨＲ信号をＭｅＮＢに送信することとしてよい。この例に限らず、第１の実施の形態で説明する機能と第２の実施の形態で説明する機能は、矛盾しない限り任意に組み合わせることができる。
【００４８】
＜ユーザ装置ＵＥの構成例＞
図１０に、第１の実施の形態におけるユーザ装置ＵＥの構成例を示す。図１０に示すように、本実施の形態のユーザ装置ＵＥは、ＤＬ信号受信部１０１、ＵＬ信号送信部１０２、ＲＲＣ管理部１０３、ＰＨＲパラメータ制御部１０４、ＰＨＲトリガ検知部１０５、ＰＨＲ通知制御部１０６を有する。なお、図１０は、ユーザ装置ＵＥにおいて本発明の実施の形態に特に関連する機能部のみを示すものであり、ユーザ装置ＵＥは少なくともＬＴＥに準拠した移動通信システムにおけるユーザ装置ＵＥとして動作するための図示しない機能も有するものである。また、図１０に示す機能構成は一例に過ぎない。本実施の形態に係る動作を実行できるのであれば、機能区分や機能部の名称はどのようなものでもよい。
【００４９】
ＤＬ信号受信部１０１は、基地局（ＭｅＮＢ、ＳｅＮＢ）から無線信号を受信し、無線信号から情報を抽出する。ＵＬ信号送信部１０２は、送信情報から無線信号を生成し、基地局（ＭｅＮＢ、ＳｅＮＢ）に送信する。ＤＬ信号受信部１０１及びＵＬ信号送信部１０２は、ＭｅＮＢ及びＳｅＮＢとの間でＤＣ通信を行う機能を含む。
【００５０】
ＲＲＣ管理部１０３は、ＭｅＮＢ等からＲＲＣシグナリングによりＤＣ設定情報やＰＨＲ関連パラメータ等の各種の設定情報を受信し、当該設定情報を保持するとともに、当該設定情報に基づく設定（ｃｏｎｆｉｇｕｒａｔｉｏｎ）を行う。
【００５１】
ＰＨＲパラメータ制御部１０４は、ＭｅＮＢとＳｅＮＢのうちＰＨＲ機能がＯＦＦに設定されたｅＮＢに関して、ＯＮに設定されたｅＮＢ側のＰＨＲ関連パラメータを使用するように設定を行う。ただし、ＯＦＦ用のＰＨＲ関連パラメータがＭｅＮＢから通知されている場合は、当該ＯＦＦ用のＰＨＲ関連パラメータを適用する。
【００５２】
ＰＨＲトリガ検知部１０５は、これまでに説明した方法によりＰＨＲのトリガを検知し、トリガを検知した場合に、ＰＨＲ通知制御部１０６に対して、ＰＨＲ信号の送信を指示する。ＰＨＲ通知制御部１０６は、ＰＨＲトリガを受けて、アクティブＣＣ毎のＰＨ情報を生成し、当該ＰＨ情報をＰＨＲ信号として、ＰＨＲ機能がＯＮのｅＮＢに対してＵＬ信号送信部１０２から送信する。
【００５３】
本実施の形態では、基地局間キャリアアグリゲーションによりユーザ装置と通信を行う第１の基地局及び第２の基地局を含む移動通信システムにおける前記ユーザ装置であって、前記第１の基地局に対して上り送信電力情報の報告を行うか否かを指示する第１設定情報を前記第１の基地局から受信し、前記第２の基地局に対して上り送信電力情報の報告を行うか否かを指示する第２設定情報を前記第１の基地局から受信する設定情報受信部と、上り送信電力情報の報告を行うための報告トリガを検知した場合に、前記第１の基地局又は前記第２の基地局に上り送信電力情報を報告する報告制御部と、を備え、前記設定情報受信部により受信した前記第１設定情報と前記第２設定情報のうちのいずれかが上り送信電力情報の報告を行わないことを指示する場合でも、前記報告制御部は、上り送信電力情報の報告を行わないことを指示された特定の基地局に対する報告トリガを検知した場合に、他方の基地局に対して上り送信電力情報を報告するユーザ装置が提供される。
【００５４】
上記の構成により、基地局間キャリアアグリゲーションによりユーザ装置と通信を行う第１の基地局及び第２の基地局を含む移動通信システムにおいて、ユーザ装置が適切に上り送信電力情報を基地局に送信することが可能となる。
【００５５】
前記他方の基地局に対して報告される前記上り送信電力情報は、前記第１の基地局におけるセルの上り送信電力情報と前記第２の基地局におけるセルの上り送信電力情報を含むこととしてもよい。この構成により、報告を受けた基地局は、他方の基地局におけるセル品質等も考慮して上り送信電力制御を実施することができる。
【００５６】
前記報告制御部は、上り送信電力情報の報告を行わないことを指示された前記特定の基地局に対する報告トリガを検知するための検知パラメータとして、他方の基地局用に設定されたパラメータを適用することができる。この構成により、前記特定の基地局に対する報告トリガを検知するための検知パラメータを用意することなく、ＯＦＦ側の報告トリガ検知を実施できる。
【００５７】
前記報告制御部は、上り送信電力情報の報告を行わないことを指示された前記特定の基地局に対する報告トリガを検知するための検知パラメータとして、当該特定の基地局用に設定されたパラメータを適用することとしてもよい。この構成により、ユーザ装置に対し、前記特定の基地局のポリシに適合したパラメータを使用して上り送信電力情報の報告をさせることができる。
【００５８】
前記ユーザ装置は、前記特定の基地局に対して上り送信電力情報の報告を行うことを指示する設定情報を受信した場合に、前記検知パラメータを破棄することとしてもよい。この構成により、不要なパラメータを迅速に破棄することができ、誤動作等を防止できる。
【００５９】
前記上り送信電力情報は、例えばパワーヘッドルームである。この構成により、ＤＣにおいて、ユーザ装置はパワーヘッドルームを適切に基地局に通知できるようになる。
【００６０】
（第２の実施の形態）
次に、第２の実施の形態を説明する。第２の実施の形態は、「ｄｌ−ＰａｔｈｌｏｓｓＣｈａｎｇｅ」等のＰＨＲ関連パラメータがｅＮＢ間で異なることが想定される場合におけるＰＨＲ制御に関連するものである。以下では、ＰＨＲ関連パラメータとして「ｄｌ−ＰａｔｈｌｏｓｓＣｈａｎｇｅ」を例に挙げるが、本実施の形態に係る技術を適用可能なＰＨＲ関連パラメータは「ｄｌ−ＰａｔｈｌｏｓｓＣｈａｎｇｅ」に限られるわけではない。また、以下では、特に断らない限り、各ｅＮＢに対するＰＨＲ機能はＯＮに設定されているものとする。
【００６１】
一例として、「ｄｌ−ＰａｔｈｌｏｓｓＣｈａｎｇｅ」がｅＮＢ間で異なる場合において、ユーザ装置ＵＥは、ＭＣＧに属するサービングセルではＭｅＮＢ（ＭＣＧ）側の 「ｄｌ−ＰａｔｈｌｏｓｓＣｈａｎｇｅ」を用いてＰＨＲのトリガ検知を行い、ＳＣＧに属するサービングセルではＳｅＮＢ（ＳＣＧ）側の 「ｄｌ−ＰａｔｈｌｏｓｓＣｈａｎｇｅ」を用いてＰＨＲのトリガ検知を行うことができる。これを例１とする。
【００６２】
例えば図１１に示すように、ユーザ装置ＵＥに対し、ＭｅＮＢ（ＭＣＧ）側の 「ｄｌ−ＰａｔｈｌｏｓｓＣｈａｎｇｅ」として１ｄＢが設定され、ＳｅＮＢ（ＳＣＧ）側の 「ｄｌ−ＰａｔｈｌｏｓｓＣｈａｎｇｅ」として６ｄＢが設定されている場合を考える。この場合、例えば、ユーザ装置ＵＥが、ＭＣＧにおけるあるアクティブＣＣのパスロスが１ｄＢ以上変化したことをＰＨＲトリガとして検知すると、ＭＣＧ及びＳＣＧの各アクティブＣＣのＰＨを含むＰＨＲ信号をＭｅＮＢとＳｅＮＢに送信する。また、例えば、ユーザ装置ＵＥが、ＳＣＧにおけるあるアクティブＣＣのパスロスが６ｄＢ以上変化したことをＰＨＲトリガとして検知すると、ＭＣＧ及びＳＣＧの各アクティブＣＣのＰＨを含むＰＨＲ信号をＭｅＮＢとＳｅＮＢに送信する。
【００６３】
上記の例１のＰＨＲトリガに関し、より詳細には、標準仕様書（非特許文献２）を想定した記述として、次のように記述することができる。以下の記述では、「」で囲んだ部分が、既存の仕様書からの変更箇所を示している。
【００６４】
−「あるＣＧに設定された」ＰｒｏｈｉｂｉｔＰＨＲ−Ｔｉｍｅｒが満了し、かつ「当該ＣＧの」最後のＰＨＲ送信から、「当該ＣＧに属する」少なくとも１つ以上のＡｃｔｉｖａｔｅｄ  ｓｅｒｖｉｎｇ  ｃｅｌｌで「当該ＣＧ向けにＣｏｎｆｉｇｕｒｅされた」ｄｌ−ＰａｔｈｌｏｓｓＣｈａｎｇｅ以上のパスロス変動を観測（両方のｅＮＢ（ＣＧ）に報告）。
【００６５】
−「あるＣＧに設定された」ＰｒｏｈｉｂｉｔＰＨＲ−Ｔｉｍｅｒが満了し、かつ「当該ＣＧの」最後のＰＨＲ送信から、「当該ＣＧに属する」少なくとも１つ以上のＡｃｔｉｖａｔｅｄ  ｓｅｒｖｉｎｇ  ｃｅｌｌで「当該ＣＧ向けにＣｏｎｆｉｇｕｒｅされた」ｄｌ−ＰａｔｈｌｏｓｓＣｈａｎｇｅ以上のＰｏｗｅｒ−ｂａｃｋｏｆｆ変更を実施（両方のｅＮＢ（ＣＧ）に報告）。
【００６６】
上記の例１は、第２の実施の形態における一例である。しかしながら、上記の方法では、各ｅＮＢにとっては、自身（自ＣＧ）に属するサービングセルでは好適なトリガによりＰＨＲ信号を送信してもらうことができるが、自身（自ＣＧ）に属さないサービングセルでは、他ｅＮＢ（他ＣＧ）が設定したトリガでしかＰＨＲ信号を送信してもらえないことになる。
【００６７】
図１１に示した例において、ＳＣＧに属するサービングセルにおいてのみパスロスの変動もしくはＰｏｗｅｒ  ｂａｃｋｏｆｆの変更が１ｄＢ生じた場合には、ＭｅＮＢはＰＨＲ信号をユーザ装置ＵＥから報告してもらえない。ＳＣＧでは、「ｄｌ−ＰａｔｈｌｏｓｓＣｈａｎｇｅ」が６ｄＢのためである。
【００６８】
上記の例において、パスロスの変動が６ｄＢ以上であればＭｅＮＢにＰＨＲ信号が報告される。しかし、ＭｅＮＢは、自身のスケジューリングポリシに従った制御を行うために１ｄＢの変動で報告を受けることを望んでいるため、上記の例のＰＨＲトリガ方法ではＭｅＮＢにおいて好適な制御が行えるとは言えない。すなわち、ＭｅＮＢにおける送信電力制御がうまくいかず、ＵＬスループットが劣化する可能性があり得る。そこで、上記の方法を改善した第２の実施の形態に係る例２を次に説明する。
【００６９】
第２の実施の形態の例２では、ユーザ装置ＵＥに対して、ＭｅＮＢ（ＭＣＧ）／ＳｅＮＢ（ＳＣＧ）からそれぞれの「ｄｌ−ＰａｔｈｌｏｓｓＣｈａｎｇｅ」を設定できる。この点は例１も同様である。
【００７０】
そして、例２では、ユーザ装置ＵＥは、いずれかのｅＮＢ（ＣＧ）のＣＣにおいて、ＭｅＮＢ（ＭＣＧ）に対して設定された「ｄｌ−ＰａｔｈｌｏｓｓＣｈａｎｇｅ」以上のパスロス変動もしくはＰｏｗｅｒ  ｂａｃｋｏｆｆ変更があった場合にはＭｅＮＢ（ＭＣＧ）へのＰＨＲのトリガを検知し、ＭｅＮＢに対して、各サービングセルのＰＨを含むＰＨＲ信号を送信する。このとき、ＭｅＮＢのみにＰＨＲ信号を送信することとしてもよいし、ＭｅＮＢとＳｅＮＢの両方にＰＨＲ信号を送信してもよい。
【００７１】
また、ユーザ装置ＵＥは、いずれかのｅＮＢ（ＣＧ）のＣＣにおいて、ＳｅＮＢ（ＳＣＧ）に対して設定された 「ｄｌ−ＰａｔｈｌｏｓｓＣｈａｎｇｅ」以上のパスロス変動もしくはＰｏｗｅｒ  ｂａｃｋｏｆｆ変更があった場合にはＳｅＮＢ（ＳＣＧ）へのＰＨＲのトリガを検知し、ＳｅＮＢに対して、各サービングセルのＰＨを含むＰＨＲ信号を送信する。このとき、ＳｅＮＢのみにＰＨＲ信号を送信してもよいし、ＳｅＮＢとＭｅＮＢの両方にＰＨＲ信号を送信してもよい。ＳｅＮＢのみにＰＨＲ信号を送信する場合の例として、例えば、「ｄｌ−ＰａｔｈｌｏｓｓＣｈａｎｇｅ」がＭｅＮＢ：  ３ｄＢ、ＳｅＮＢ：１ｄＢの場合、ＭｅＮＢ側のＣＣのＰａｔｈｌｏｓｓが１ｄＢ変化したときに、ＭｅＮＢ側へのＰＨＲを省略し、ＳｅＮＢ側のみにＰＨＲを行う例がある。
【００７２】
例えば図１２に示すように、ユーザ装置ＵＥに対し、ＭｅＮＢ（ＭＣＧ）側の 「ｄｌ−ＰａｔｈｌｏｓｓＣｈａｎｇｅ」として１ｄＢが設定され、ＳｅＮＢ（ＳＣＧ）側の 「ｄｌ−ＰａｔｈｌｏｓｓＣｈａｎｇｅ」として６ｄＢが設定されている場合を考える。この場合、例えば、ユーザ装置ＵＥが、ＳＣＧにおけるあるアクティブＣＣのパスロスが１ｄＢ以上変化したことをＰＨＲトリガとして検知すると、ＭＣＧ及びＳＣＧの各アクティブＣＣのＰＨを含むＰＨＲ信号をＭｅＮＢに送信する。また、例えば、ユーザ装置ＵＥが、ＭＣＧにおけるあるアクティブＣＣのパスロスが６ｄＢ以上変化したことをＰＨＲトリガとして検知すると、ＭＣＧ及びＳＣＧの各アクティブＣＣのＰＨを含むＰＨＲ信号をＭｅＮＢとＳｅＮＢに送信する。後者の場合、条件に該当するｅＮＢにのみＰＨＲ信号を送ることとする場合でも、パスロス変化が６ｄＢ（ＳｅＮＢ側条件）以上となる場合は、１ｄＢ（ＭｅＮＢ側条件）以上も満たすから、ＰＨＲ信号はＭｅＮＢとＳｅＮＢの両方に送信される。
【００７３】
図１３を参照して例２におけるシーケンス例を説明する。ステップ２０１において、ＳｅＮＢからＭｅＮＢに対してＳｅＮＢ側ＰＨＲ関連パラメータ（ｄｌ−ＰａｔｈｌｏｓｓＣｈａｎｇｅ等）が通知される。ステップ２０２において、ＭｅＮＢはユーザ装置ＵＥに対してＭｅＮＢ側ＰＨＲ関連パラメータとＳｅＮＢ側ＰＨＲ関連パラメータを含むメッセージ（例：ＲＲＣＣｏｎｎｅｃｔｉｏｎＲｅｃｏｎｆｉｇｕｒａｔｉｏｎ）をユーザ装置ＵＥに通知する。
【００７４】
ステップ２０３において、ユーザ装置ＵＥは、ＳｅＮＢ側ｄｌ−ＰａｔｈｌｏｓｓＣｈａｎｇｅ（ＭｅＮＢ側ｄｌ−ＰａｔｈｌｏｓｓＣｈａｎｇｅよりも小さいとする）によりＰＨＲトリガを検知したとする。ステップ２０４において、ユーザ装置ＵＥは、ＳｅＮＢにＰＨＲ信号を送信する。ステップ２０５に示されるように、ＳｅＮＢに加えて、ＭｅＮＢにＰＨＲ信号を送信してもよい。
【００７５】
上記のように、例２により、ＰＨＲのタイミングを適正化することができ、ＵＬスループットを改善できる。
【００７６】
上記の例２のＰＨＲトリガに関し、より詳細には、標準仕様書（非特許文献２）を想定した記述として、次のように記述することができる。以下の記述では、「」で囲んだ部分が、既存の仕様書からの変更箇所を示している。また、下記の記述に対応する仕様書の変更の例を図１４に示す。なお、以下の例では、トリガがあった場合に、両方のｅＮＢにＰＨＲを行うこととしているが、前述したように、条件を満たさないほうのｅＮＢに対してＰＨＲが省略されてもよい。
【００７７】
−「あるＣＧに設定された」ＰｒｏｈｉｂｉｔＰＨＲ−Ｔｉｍｅｒが満了し、かつ「当該ＣＧの」最後のＰＨＲ送信から、「任意のＣＧに属する」少なくとも１つ以上のＡｃｔｉｖａｔｅｄ  ｓｅｒｖｉｎｇ  ｃｅｌｌで「当該ＣＧ向けにＣｏｎｆｉｇｕｒｅされた」ｄｌ−ＰａｔｈｌｏｓｓＣｈａｎｇｅ以上のパスロス変動を観測（両方のｅＮＢ（ＣＧ）に報告）。
【００７８】
−「あるＣＧに設定された」ＰｒｏｈｉｂｉｔＰＨＲ−Ｔｉｍｅｒが満了し、かつ「当該ＣＧの」最後のＰＨＲ送信から、「任意のＣＧに属する」少なくとも１つ以上のＡｃｔｉｖａｔｅｄ  ｓｅｒｖｉｎｇ  ｃｅｌｌで「当該ＣＧ向けにＣｏｎｆｉｇｕｒｅされた」ｄｌ−ＰａｔｈｌｏｓｓＣｈａｎｇｅ以上のＰｏｗｅｒ−ｂａｃｋｏｆｆ変更を実施（両方のｅＮＢ（ＣＧ）に報告）。
【００７９】
＜第２の実施の形態の変形例１＞
ＤＣにおいて、ＰＨＲ関連パラメータ（ここでは「ｄｌ−ＰａｔｈｌｏｓｓＣｈａｎｇｅ」とする）が、ｅＮＢからユーザ装置ＵＥに対して１つの値しか通知されない場合が想定される。例えば、図１３において、ステップ２０１のＳｅＮＢからＭｅＮＢへのパラメータ通知がなかった場合に、ＭｅＮＢ側のパラメータのみがユーザ装置ＵＥに通知されることが考えられる。
【００８０】
変形例１では、１つの「ｄｌ−ＰａｔｈｌｏｓｓＣｈａｎｇｅ」のみが通知される場合において、ユーザ装置ＵＥは、両方のｅＮＢ（ＣＧ）に対するパラメータ「ｄｌ−ＰａｔｈｌｏｓｓＣｈａｎｇｅ」の値が前記１つの値であると見なして、上記の例２の方法に従ってＰＨＲトリガ検知を行う。
【００８１】
すなわち、例えば図１５に示すように、ユーザ装置ＵＥに対し、１つの「ｄｌ−ＰａｔｈｌｏｓｓＣｈａｎｇｅ」として１ｄＢが設定されている場合を考える。この場合、例えば、ユーザ装置ＵＥが、ＳＣＧにおけるあるアクティブＣＣのパスロスが１ｄＢ以上変化したことをＰＨＲトリガとして検知すると、ＭＣＧ及びＳＣＧの各アクティブＣＣのＰＨを含むＰＨＲ信号をＭｅＮＢとＳｅＮＢに送信する。条件に該当するｅＮＢにのみＰＨＲ信号を送ることとする場合でも、パスロス変化が１ｄＢ以上となる場合は、ＭｅＮＢとＳｅＮＢの両方の条件を満たすから、ＰＨＲ信号はＭｅＮＢとＳｅＮＢの両方に送信される。
【００８２】
変形例１によれば、ＭｅＮＢとＳｅＮＢが「ｄｌ−ＰａｔｈｌｏｓｓＣｈａｎｇｅ」として同一の値を望む場合に、オーバーヘッドを削減できる。
【００８３】
＜第２の実施の形態における変形例２＞
変形例２では、ＭｅＮＢとＳｅＮＢはＰＨＲ関連パラメータ（ここでは「ｄｌ−ＰａｔｈｌｏｓｓＣｈａｎｇｅ」とする）としてそれぞれの値を所望値として決定してよいが、ユーザ装置ＵＥに設定する「ｄｌ−ＰａｔｈｌｏｓｓＣｈａｎｇｅ」はｅＮＢ間（ＣＧ間）で共通の値とする。
【００８４】
例えば、ＳｅＮＢがＭｅＮＢに対して所望の「ｄｌ−ＰａｔｈｌｏｓｓＣｈａｎｇｅ」を通知した場合、ＭｅＮＢは、ＳｅＮＢから通知された「ｄｌ−ＰａｔｈｌｏｓｓＣｈａｎｇｅ」と自身（ＭｅＮＢ）の「ｄｌ−ＰａｔｈｌｏｓｓＣｈａｎｇｅ」の所望値のうちの小さいほうの値（又は、当該小さいほうの値以下の値）をｅＮＢ間で共通の値としてユーザ装置ＵＥに通知する。当該１つの「ｄｌ−ＰａｔｈｌｏｓｓＣｈａｎｇｅ」が通知されたユーザ装置ＵＥは、変形例１と同様にしてＰＨＲトリガ検知等を行う。
【００８５】
一例として、ＭｅＮＢの所望値が６ｄＢ、ＳｅＮＢの所望値が３ｄＢの場合、ＭｅＮＢはユーザ装置ＵＥに対し、３ｄＢ（又は３ｄＢよりも小さな値）を通知する。また、例えば、ＭｅＮＢの所望値が３ｄＢ、ＳｅＮＢの所望値が６ｄＢの場合、ＭｅＮＢはユーザ装置ＵＥに対し、３ｄＢ（又は３ｄＢよりも小さな値）を通知する。
【００８６】
なお、ＭｅＮＢの所望値のほうがＳｅＮＢの所望値よりも常に小さくなることが想定される場合、変形例２におけるＭｅＮＢの決定動作は、"ＳｅＮＢの所望する「ｄｌ−ＰａｔｈｌｏｓｓＣｈａｎｇｅ」よりも小さな値をｅＮＢ間の共通の値として決定する"ことに相当する。
【００８７】
図１６を参照して変形例２におけるシーケンス例を説明する。ステップ３０１において、ＳｅＮＢからＭｅＮＢに対して所望「ｄｌ−ＰａｔｈｌｏｓｓＣｈａｎｇｅ」が通知される。ステップ３０２において、ＭｅＮＢは、ＭｅＮＢの所望値とＳｅＮＢの所望値を比較し、小さいほうの「ｄｌ−ＰａｔｈｌｏｓｓＣｈａｎｇｅ」の値をｅＮＢ間で共通の値として決定する。
【００８８】
ステップ３０３において、ＭｅＮＢは、決定した「ｄｌ−ＰａｔｈｌｏｓｓＣｈａｎｇｅ」を含むメッセージ（ＲＲＣＣｏｎｎｅｃｔｉｏｎＲｅｃｏｎｆｉｇｕｒａｔｉｏｎ）をユーザ装置ＵＥに送信する。ユーザ装置ＵＥは、「ｄｌ−ＰａｔｈｌｏｓｓＣｈａｎｇｅ」を含むパラメータの設定（ｃｏｎｆｉｇｕｒｅ）が完了すると、完了メッセージ（ＲＲＣＣｏｎｎｅｃｔｉｏｎＲｅｃｏｎｆｉｇｕｒａｔｉｏｎＣｏｍｐｌｅｔｅ）をＭｅＮＢに送信する（ステップ３０４）。
【００８９】
ステップ３０５において、ＭｅＮＢは、決定された「ｄｌ−ＰａｔｈｌｏｓｓＣｈａｎｇｅ」を含むＩｎｔｅｒ−ｅＮＢ  ＲＲＣ  ｍｅｓｓａｇｅ  ＹをＳｅＮＢに通知する。その後、例えば、ステップ３０６において、ユーザ装置ＵＥは、ｅＮＢ間共通の「ｄｌ−ＰａｔｈｌｏｓｓＣｈａｎｇｅ」によりＰＨＲトリガを検知したとする。ステップ３０７、３０８において、ユーザ装置ＵＥは、ＭｅＮＢとＳｅＮＢにＰＨＲ信号を送信する。
【００９０】
上記の例では、ＳｅＮＢがＭｅＮＢに対して所望値を通知することとしているが、逆に、ＭｅＮＢがＳｅＮＢに対して所望値を通知し、ＳｅＮＢが自身の所望値とＭｅＮＢの所望値を比較して、小さいほうの値（あるいは、当該小さいほうの値以下の値）をｅＮＢ間の共通の値として決定してもよい。決定した値はＳｅＮＢからユーザ装置ＵＥに通知してもよいし、ＳｅＮＢからＭｅＮＢに通知して、ＭｅＮＢからユーザ装置ＵＥに通知してもよい。
【００９１】
変形例２では、最もＰＨＲ頻度が高くなる「ｄｌ−ＰａｔｈｌｏｓｓＣｈａｎｇｅ」の所望値を有するｅＮＢの要求を満足させることができ、ＰＨＲタイミングの適正化によるＵＬスループット改善効果が得られる。また、ｅＮＢは１つの値のみをユーザ装置ＵＥにシグナリングするため、オーバーヘッドが低減される。
【００９２】
＜ユーザ装置ＵＥの構成例＞
図１７に、第２の実施の形態（例１、例２、変形例１、変形例２を含む）におけるユーザ装置ＵＥの構成例を示す。図１７に示すように、本実施の形態のユーザ装置ＵＥは、ＤＬ信号受信部２０１、ＵＬ信号送信部２０２、ＲＲＣ管理部２０３、ＰＨＲパラメータ制御部２０４、ＰＨＲトリガ検知部２０５、ＰＨＲ通知制御部２０６を有する。なお、図１７は、ユーザ装置ＵＥにおいて本発明の実施の形態に特に関連する機能部のみを示すものであり、ユーザ装置ＵＥは少なくともＬＴＥに準拠した移動通信システムにおけるユーザ装置ＵＥとして動作するための図示しない機能も有するものである。また、図１７に示す機能構成は一例に過ぎない。本実施の形態に係る動作を実行できるのであれば、機能区分や機能部の名称はどのようなものでもよい。
【００９３】
ＤＬ信号受信部２０１は、基地局（ＭｅＮＢ、ＳｅＮＢ）から無線信号を受信し、無線信号から情報を抽出する。ＵＬ信号送信部２０２は、送信情報から無線信号を生成し、基地局（ＭｅＮＢ、ＳｅＮＢ）に送信する。ＤＬ信号受信部２０１及びＵＬ信号送信部２０２は、ＭｅＮＢ及びＳｅＮＢとの間でＤＣ通信を行う機能を含む。
【００９４】
ＲＲＣ管理部２０３は、ＭｅＮＢからＲＲＣシグナリングによりＤＣ設定情報やＰＨＲ関連パラメータを含む各種の設定情報を受信し、当該設定情報を保持するとともに、当該設定情報に基づく設定（ｃｏｎｆｉｇｕｒａｔｉｏｎ）を行う。
【００９５】
ＰＨＲパラメータ制御部２０４は、変形例１、２において、ＭｅＮＢから１つのみのパラメータ（例：「ｄｌ−ＰａｔｈｌｏｓｓＣｈａｎｇｅ」）を受信する場合において、当該「ｄｌ−ＰａｔｈｌｏｓｓＣｈａｎｇｅ」を、ＭｅＮＢ側及びＳｅＮＢ側それぞれのパラメータとして使用する設定を行う。
【００９６】
また、第２の実施の形態と第１の実施の形態とを組み合わせて実施することとしてもよく、ＰＨＲパラメータ制御部２０４は、ＭｅＮＢとＳｅＮＢのうちＰＨＲ機能がＯＦＦに設定されたｅＮＢに関して、ＯＮに設定されたｅＮＢ側のＰＨＲ関連パラメータを使用するように設定を行う機能を含んでいてもよい。この場合、ＯＦＦ用のＰＨＲ関連パラメータがＭｅＮＢから通知されている場合は、当該ＯＦＦ用のＰＨＲ関連パラメータを使用する。
【００９７】
ＰＨＲトリガ検知部２０５は、第２の実施の形態（例１、例２、変形例１、変形例２を含む）で説明した方法によりＰＨＲのトリガを検知し、トリガを検知した場合に、ＰＨＲ通知制御部２０６に対して、ＰＨＲの送信を指示する。また、ＰＨＲトリガ検知部２０５は、第１の実施の形態で説明したＰＨＲトリガ検知機能を含んでいてもよい。
【００９８】
ＰＨＲ通知制御部２０６は、ＰＨＲトリガを受けて、ＣＣ毎のＰＨ情報を生成し、当該ＰＨ情報をＰＨＲ信号として、ＰＨＲ機能がＯＮのｅＮＢに対してＵＬ信号送信部２０２から送信する。
【００９９】
＜基地局ｅＮＢ＞
図１８に、本実施の形態（特に変形例２）における基地局ｅＮＢ（ＭｅＮＢとＳｅＮＢのどちらにも適用可能）の機能構成図を示す。図１８に示すように、基地局ｅＮＢは、ＤＬ信号送信部３０１、ＵＬ信号受信部３０２、ＲＲＣ管理部３０３、パラメータ決定部３０４、基地局間通信部３０５を有する。なお、図１８は、基地局ｅＮＢにおいて本発明の実施の形態に特に関連する機能部のみを示すものであり、少なくともＬＴＥ方式に準拠した動作を行うための図示しない機能も有するものである。また、図１８に示す機能構成は一例に過ぎない。本実施の形態に係る動作を実行できるのであれば、機能区分や機能部の名称はどのようなものでもよい。
【０１００】
ＤＬ信号送信部３０１は、基地局ｅＮＢから送信されるべき上位のレイヤの情報から、物理レイヤの各種信号を生成し、ユーザ装置ＵＥに対して送信する機能を含む。ＵＬ信号受信部３０２は、ユーザ装置ＵＥから各種の上り信号を受信し、受信した物理レイヤの信号からより上位のレイヤの情報を取得する機能を含む。また、ＤＬ信号送信部３０１及びＵＬ信号受信部３０２は、他のｅＮＢとともに、ユーザ装置ＵＥとの間でＤＣ通信を行う機能を含む。
【０１０１】
ＲＲＣ管理部３０３は、各種のＲＲＣパラメータを保持、決定、及び管理するとともに、ＤＣを構成する他のｅＮＢ、及びユーザ装置ＵＥとの間でＲＲＣメッセージの送受信を行う。他のｅＮＢとの間で通信を行う際には、基地局間通信部３０５を介して通信を行う。
【０１０２】
パラメータ決定部３０４は、変形例２で説明したように、自ｅＮＢの「ｄｌ−ＰａｔｈｌｏｓｓＣｈａｎｇｅ」の所望値と他ｅＮＢの所望値を比較し、小さいほうの「ｄｌ−ＰａｔｈｌｏｓｓＣｈａｎｇｅ」の値（又はこの値以下の値）をｅＮＢ間で共通の値として決定する。決定された値は、例えば、ＤＬ信号送信部３０１からユーザ装置ＵＥにＲＲＣシグナリングメッセージで通知される。
【０１０３】
本実施の形態により、基地局間キャリアアグリゲーションによりユーザ装置と通信を行う第１の基地局及び第２の基地局を含む移動通信システムにおける前記ユーザ装置であって、前記第１の基地局のセルグループである第１セルグループに対して設定された上り送信電力報告に関する第１検知パラメータと、前記第２の基地局のセルグループである第２セルグループに対して設定された上り送信電力報告に関する第２検知パラメータを前記第１の基地局から受信する受信部と、前記第１検知パラメータと前記第２検知パラメータのうちのある検知パラメータにより前記第１セルグループと前記第２セルグループのうちのあるセルグループにおいて上り送信電力情報の報告トリガを検知した場合に、前記第１の基地局と前記第２の基地局のいずれか又は両方に上り送信電力情報を報告する報告制御部とを備えるユーザ装置が提供される。
【０１０４】
上記の構成により、基地局間キャリアアグリゲーションによりユーザ装置と通信を行う第１の基地局及び第２の基地局を含む移動通信システムにおいて、ユーザ装置が適切に上り送信電力情報を基地局に送信することが可能となる。
【０１０５】
前記報告制御部は、前記第１検知パラメータにより報告トリガを検知した場合には前記第１の基地局に前記上り送信電力情報を報告し、前記第２検知パラメータにより報告トリガを検知した場合には前記第２の基地局に前記上り送信電力情報を報告することとしてもよい。この構成により、各基地局は、自身のポリシに適した頻度で上り送信電力情報の報告を受信できる。
【０１０６】
また、本実施の形態により、基地局間キャリアアグリゲーションによりユーザ装置と通信を行う第１の基地局及び第２の基地局を含む移動通信システムにおける前記ユーザ装置であって、上り送信電力情報の報告トリガを検知するための検知パラメータを前記第１の基地局から受信する受信部と、前記検知パラメータにより前記第１セルグループと前記第２セルグループのうちのあるセルグループにおいて報告トリガを検知した場合に、前記第１の基地局と前記第２の基地局の両方に上り送信電力情報を報告する報告制御部とを備えるユーザ装置が提供される。
【０１０７】
上記の構成により、基地局間キャリアアグリゲーションによりユーザ装置と通信を行う第１の基地局及び第２の基地局を含む移動通信システムにおいて、ユーザ装置が適切に上り送信電力情報を基地局に送信することが可能となる。
【０１０８】
前記報告される前記上り送信電力情報は、前記第１の基地局におけるセルの上り送信電力情報と前記第２の基地局におけるセルの上り送信電力情報を含むこととしてもよい。この構成により、報告を受けた基地局は、他方の基地局におけるセル品質等も考慮して上り送信電力制御を実施することができる。
【０１０９】
前記上り送信電力情報は、例えばパワーヘッドルームである。この構成により、ＤＣにおいて、ユーザ装置はパワーヘッドルームを適切に基地局に通知できるようになる。
【０１１０】
また、本実施の形態により、基地局間キャリアアグリゲーションによりユーザ装置と通信を行う第１の基地局及び第２の基地局を含む移動通信システムにおける前記第１の基地局として使用される基地局であって、前記第２の基地局から、当該第２の基地局のセルグループである第２セルグループに対して決定された上り送信電力報告に関する第２検知パラメータの所望値を受信する受信部と、前記受信部により受信した前記第２検知パラメータの所望値と、前記第１の基地局のセルグループである第１セルグループに対して決定された上り送信電力報告に関する第１検知パラメータの所望値とを比較し、前記第２検知パラメータの所望値と前記第１検知パラメータの所望値のうちの小さいほうの値以下の値を、上り送信電力情報の報告トリガを検知するための検知パラメータとして決定する決定部と、
前記決定部により決定された検知パラメータを前記ユーザ装置に通知する通知部とを備える基地局が提供される。
【０１１１】
上記の構成により、基地局間キャリアアグリゲーションによりユーザ装置と通信を行う第１の基地局及び第２の基地局を含む移動通信システムにおいて、ユーザ装置が適切に上り送信電力情報を基地局に送信することが可能となる。
【０１１２】
前記通知部により前記検知パラメータを前記ユーザ装置に送信し、当該ユーザ装置から完了応答を受信した場合に、前記第２の基地局に前記検知パラメータを通知することとしてもよい。この構成により、第２の基地局は、第１の基地局で決定された前記検知パラメータを把握することができる。
【０１１３】
本実施の形態（第１、第２の実施の形態）で説明したユーザ装置ＵＥは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１１４】
本実施の形態（第１、第２の実施の形態）で説明した基地局ｅＮＢは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１１５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥと基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１６】
本発明は上記実施形態に限定されず、本発明の精神から逸脱することなく、様々な変形例、修正例、代替例、置換例等が本発明に包含される。
【符号の説明】
【０１１７】
ＭｅＮＢ、ＳｅＮＢ  基地局
ＵＥ  ユーザ装置
１０１  ＤＬ信号受信部
１０２  ＵＬ信号送信部
１０３  ＲＲＣ管理部
１０４  ＰＨＲパラメータ制御部
１０５  ＰＨＲトリガ検知部
１０６  ＰＨＲ通知制御部
２０１  ＤＬ信号受信部
２０２  ＵＬ信号送信部
２０３  ＲＲＣ管理部
２０４  ＰＨＲパラメータ制御部
２０５  ＰＨＲトリガ検知部
２０６  ＰＨＲ通知制御部
３０１  ＤＬ信号送信部
３０２  ＵＬ信号受信部
３０３  ＲＲＣ管理部
３０４  パラメータ決定部
３０５  基地局間通信部
【要約】
【課題】基地局間キャリアアグリゲーションによりユーザ装置と通信を行う第１の基地局及び第２の基地局を含む移動通信システムにおいて、ユーザ装置が適切に上り送信電力情報を基地局に送信する。
【解決手段】前記ユーザ装置において、前記第１、第２の基地局に対して上り送信電力情報の報告を行うか否かを指示する第１設定情報、第２設定情報を前記第１の基地局から受信する設定情報受信部と、上り送信電力情報の報告を行うための報告トリガを検知した場合に、前記第１の基地局又は前記第２の基地局に上り送信電力情報を報告する報告制御部と、を備え、前記第１設定情報と前記第２設定情報のうちのいずれかが上り送信電力情報の報告を行わないことを指示する場合でも、前記報告制御部は、上り送信電力情報の報告を行わないことを指示された特定の基地局に対する報告トリガを検知した場合に、他方の基地局に対して上り送信電力情報を報告する。
【選択図】図８【図１】
0005866420.tif 000004
【図２】
0005866420.tif 000005
【図３】
0005866420.tif 000006
【図４】
0005866420.tif 000007
【図５】
0005866420.tif 000008
【図６】
0005866420.tif 000009
【図７】
0005866420.tif 000010
【図８】
0005866420.tif 000011
【図９】
0005866420.tif 000012
【図１０】
0005866420.tif 000013
【図１１】
0005866420.tif 000014
【図１２】
0005866420.tif 000015
【図１３】
0005866420.tif 000016
【図１４】
0005866420.tif 000017
【図１５】
0005866420.tif 000018
【図１６】
0005866420.tif 000019
【図１７】
0005866420.tif 000020
【図１８】
0005866420.tif 000021